(57)【要約】      （修正有）【課題】読書中の頁が自然にめくれてしまうのを阻止することができるブックページストッパを提供する。【解決手段】本の頁の間に挿入可能な本体２と、該本体２との間に本の頁を挿入保持できるカバー３と、該本体２とカバー３とが平行になるように連結する連結体と、を備えてなる。【選択図】図１
0003180087.tif 000002
【実用新案登録請求の範囲】
【請求項１】
本の頁の間に挿入可能な本体と、
該本体との間に本の頁を挿入保持できるカバーと、
該本体とカバーとが平行になるように連結する連結体と、
を備えてなる、
ことを特徴とするブックページストッパ。
【請求項２】
本体は、本の頁の間に安定的に挿入保持されるように、縦長の矩形に形成されている、ことを特徴とする請求項１記載のブックページストッパ。
【請求項３】
カバーは、本の頁の隅部を挿入保持できるように略Ｌ字状に形成されている、
ことを特徴とする請求項１記載のブックページストッパ。
【請求項４】
連結体は、本体とカバーとが平行に配設されるように、それらに直交して同一幅で設けられている、
ことを特徴とする請求項１記載のブックページストッパ。
【請求項５】
カバーは、本体の上面側と下面側の両側に平行になるようにして、夫々相対称に設けられている、
ことを特徴とする請求項１記載のブックページストッパ。
【考案の詳細な説明】
【技術分野】
【０００１】  本考案は、読書中に頁が自然にめくれてしまうのを阻止することができるブックページストッパに関する。
【背景技術】
【０００２】  従来、読書中に頁が自然にめくれてしまい、そのままでは読書に支障を来たす為、手を添えたり、上に重しを載せたりして、頁のめくれを防止していた。この為、添えた手が疲れたり、読書中に重しを移動する機会が多く、煩雑だったり、本が汚れる等の問題点があった。
【考案の概要】
【考案が解決しようとする課題】
【０００３】  本考案は、上記問題点を解決する為に、上記頁の隅部を保持することができるめくれ防止手段を提供することにより、手を添えたり、重しを載せたりすることで生ずる前記問題点の解決を図ったものである。
【考案を解決するための手段】
【０００４】  本考案は、上記目的を達成する為に、頁の隅部を挿入保持することができるブックページストッパを提供することで、読書中の頁のめくれを阻止できるようにしたものである。
【考案の効果】
【０００５】  本考案によれば、次のような効果がある。
（１）読書中における頁の自然なめくれを阻止できる。
（２）重しを読書中に移動することや頁をめくる都度移動させる煩雑さが解消される。
（３）読書中に頁の上に手を添える必要がなくなるので、手の疲れを防止できると共に、手の汗で生ずる本の汚れも阻止できる。
（４）読書中の頁のめくれを簡易に防止できるので、読書が楽しくなる。
（５）小さい本から大きい本まで、サイズを問わずに使用できるので、汎用性が高いものとなる。
【図面の簡単な説明】
【０００６】
【図１】本考案の実施の形態を示す第１実施例の正面図
【図２】同縦断面図
【図３】同使用状態を示す正面図
【図４】同第２実施例の正面図
【図５】同縦断面図
【図６】同使用状態を示す正面図
【図７】同第３実施例の正面図
【図８】同裏面図
【図９】同縦断面図
【考案を実施するための形態】
【０００７】  以下、本考案の実施の形態を図１〜図９に基づいて説明する。
【０００８】  本考案のブックページストッパ１の第１実施例は、図１〜図３に示すように、縦長矩形状の本体２と、本体２の上辺２ａの全長と同一長の横片３ａと本体２の側辺２ｂの全長より短い縦辺３ｂとからなる逆Ｌ字状のカバー３と、該本体２とカバー３とに直交してこれらを連結する連結体４とからなる。
【０００９】  上記カバー３は。頁Ｐの挿入および離脱がし易いように、各隅部が曲線状に形成されている。
【００１０】  さらに、上記連結部４は、上記本体２とカバー３とが平行に配設されるように同一幅に形成されている。
【００１１】  次に、本考案の使用方法について詳述する。
【００１２】  まず、図３に示すように、本体Ｂを開いて読むべき頁Ｐの左上隅Ｄまたは右下隅Ｅにブックページストッパ１を配設する。
【００１３】  この際、本体２とカバー３との間隙５に、本Ｂの頁Ｐを１頁〜数頁を挿入する。
【００１４】  次に、読み終った頁Ｐをめくって上記間隙５に挿入する。
【００１５】  さらに、同要領にて読み終った頁Ｐを上記間隙５につぎつぎに挿入し、間隙５が一杯になる迄挿入する。
【００１６】  また、該間隙５が一杯になったら、間隙５に挿入される頁Ｐの大部分を離脱させて、前記と同様に挿入される頁Ｐを１頁〜数頁として、前記と同要領にて読書を続ける。
【００１７】  このようにして、手を本に添えることや本の上に重しを載せることなく、本を開いたまま読書をすることができる。
【００１８】  次に、本考案の実施の形態の第２実施例を図４〜図６に基づいて詳述する。
【００１９】  本考案の第２実施例は、前記第１実施例と左右対称となるものであって、縦長矩形状の本体１２と、本体１２の上辺１２ａの全長と同一長の横辺１３ａと本体１２の側辺１２ｂの全長より短い縦辺１３ｂとからなる逆Ｌ字状のカバー１３と、該本体１２とカバー１３とに直交してこれらを連結する連結体１４とからなる。
【００２０】  上記カバー１３は、頁Ｐの挿入および離脱がし易いように、各隅部が曲線状に形成されている。
【００２１】  さらに、上記連結部１４は、上記本体１２とカバー１３とが平行に配設されるように同一幅に形成されている。
【００２２】  尚、本実施例の使用方法は、図６に示すように、本Ｂを開いて読むべき頁Ｐの右上隅Ｆまたは左下隅Ｇにブックページストッパ１１を配設して行うもので、この配設位置が異なる他は、前記第１実施例と同様であり、同第１実施例と同一要領にて使用することができる。
【００２３】  次に、本考案の実施の形態の第３実施例を図７〜図９に基づいて詳述する。
【００２４】  本実施例のブックページストッパ２１は、前記第１実施例のブックページストッパ１と第２実施例のブックページストッパ１１を結合させたような形状のものであり、本体２２の上面側に第１実施例と同様のカバー２３が、本体２２の下面側に第２実施例と同様のカバー２４が、夫々連結体２５、２６を介して連結形成されている。
【００２５】  この際、上記連結体２５、２６は、上記本体２２とカバー２３、２４とが平行に配設されるように同一幅に形成されている。
【００２６】  次に、本実施例の使用方法は、前記第１実施例と第２実施例とを併せて行うことができるものであり、前記カバー２３を上面にして使用する場合は、図３に示すように、前記第１実施例と同様に、本Ｂを開いて読むべき頁Ｐの左上隅Ｄまたは右下隅Ｅに配設して使用し、また前記カバー２４を上面にして使用する場合は、図６に示すように、前記第２実施例と同様に、本Ｂを開いて読むべき頁Ｐの右上隅Ｆまたは左下隅Ｇに配設して使用し、前記第１実施例や第２実施例と同様に、本体２２とカバー２３、２４との間に本Ｂの頁Ｐを１〜数頁を挿入しておき、読み終った都度その頁Ｐをめくって間隙５に挿入することで使用することができ、本Ｂの４隅の何れにも使用可能である。
【００２７】  本考案は、上記実施例の形状に限定されるものでなく、本体２、１２、２２、２３とカバー３、１３、２４、２５との間に、本Ｂの頁Ｐを所定数量に亘って、挿入保持できるものならば、例えば、本体２の形状を正方形とする等、上記各実施例と異なる形状とすることができるのは勿論である。
【００２８】  また、本考案は、上記本体２、１２、２２、２３とカバー３、１３、２４、２５との間に、本Ｂの頁Ｐを所定数量に亘って、挿入保持できるものならば、使用材料は紙に限ることなく、合成樹脂（プラスチック）材や金属材その他の材料とすることができる。
【符号の説明】
【００２９】１、１１、２１          ブックページストッパ
２、１２、２２          本体
３、１３、２３、２４    カバー
４                      連結体
５                      間隙
２ａ、１２ａ、２２ａ    上辺
２ｂ、１２ｂ、２２ｂ    側辺
３ａ、１３ａ、２３ａ    横辺
３ｂ、１３ｂ、２３ｂ    縦辺
Ｂ                      本
Ｐ                      頁
Ｄ                      本（頁）の左上隅
Ｅ                      本（頁）の右下隅
Ｆ                      本（頁）の右上隅
Ｇ                      本（頁）の左下隅
【図１】
0003180087.tif 000003
【図２】
0003180087.tif 000004
【図３】
0003180087.tif 000005
【図４】
0003180087.tif 000006
【図５】
0003180087.tif 000007
【図６】
0003180087.tif 000008
【図７】
0003180087.tif 000009
【図８】
0003180087.tif 000010
【図９】
0003180087.tif 000011